(57)【要約】      （修正有）【課題】製造コストを抑えながら、耐火性能を有する防火サッシを提供する。【解決手段】パネルを保持するパネル間口にパネルの外れ止め部材６０が配置されており、外れ止め部材６０は、金属材料からなる短尺部材であり、パネル載置面６０ａと、パネル載置面６０ａを所定高さに位置するようにパネル載置面６０ａから下方に向かって延びる脚部６０ｃと、パネル載置面６０ａの側端が上方に延設される外れ止め部６０ｂを有する。【選択図】図５
2020176385.tif 000002
【特許請求の範囲】
【請求項１】
パネルを保持するパネル間口にパネルの外れ止め部材が配置されており、
外れ止め部材は、金属材料からなる短尺部材であり、パネル載置面と、パネル載置面を所定高さに位置するようにパネル載置面から下方に向かって延びる脚部と、パネル載置面の側端が上方に延設される外れ止め部を有する建具。
【発明の詳細な説明】
【技術分野】
【０００１】
本発明は、建築物等の開口部に配置される防火サッシに適用される建具に関する。
【背景技術】
【０００２】
従来、建築物の開口部に配置されるサッシとして、断熱性を有するサッシが知られている（特許文献１）。
【先行技術文献】
【特許文献】
【０００３】
【特許文献１】特開2004-324338号公報
【発明の概要】
【発明が解決しようとする課題】
【０００４】
近年、建築物等の開口部に配置されるサッシについて、火災時における防火性能が求められている。
【０００５】
本発明は、サッシにおいて、火災時に障子のパネル体が脱落することを抑制し、防火サッシの防火性能を向上させることを目的とする。
【課題を解決するための手段】
【０００６】
本発明の一実施形態は、パネルを保持するパネル間口にパネルの外れ止め部材が配置されており、外れ止め部材は、金属材料からなる短尺部材であり、パネル載置面と、パネル載置面を所定高さに位置するようにパネル載置面から下方に向かって延びる脚部と、パネル載置面の側端が上方に延設される外れ止め部を有する建具である。
【発明の効果】
【０００７】
本実施形態の防火サッシの外れ止め部材により、製造コストを抑えながら、耐火性能を有する防火サッシを提供することができる。
【図面の簡単な説明】
【０００８】
【図１】本発明の一実施形態に係る防火サッシの竪断面図である。
【図２】本発明の一実施形態に係る防火サッシの横断面図である。
【図３】本発明の一実施形態に係る防火サッシの下框の図であり、（ａ）は竪断面図であり、（ｂ）は平面図である。
【図４】本発明の一実施形態に係る防火サッシの下框の図であり、（ａ）は図３のｘ−ｘ竪面図であり、（ｂ）は図３のｙ−ｙ竪断面図であり、（ｃ）は（ａ）（ｂ）を合わせた竪断面図である。
【図５】本発明の一実施形態に係る防火サッシの説明図であり、（ａ）は、下框の斜視図であり、（ｂ）はガラス敷板の斜視図であり、（ｃ）は外れ止め部材の斜視図である。
【発明を実施するための形態】
【０００９】
本発明のひとつの実施形態である建物の開口部に配置される引違い窓について、図面を参考に説明する。
本実施形態の防火サッシは、図１、２に示すように、建物開口部に取り付けられる枠体１０と、枠体１０の内周に摺動自在に配置される内、外障子２０，３０を備えている。
【００１０】
−枠体−
枠体１０は、上枠１１、下枠１２及び左、右竪枠１３，１４を四周に組んで形成されている。
（上枠）
上枠１１は、アルミ合金等の金属材料からなり、建物開口部の内周に配置される上枠本体１１１と、樹脂材料からなり、上枠本体１１１の室内側内周面に配置される樹脂上枠１１２を有している。
【００１１】
上枠本体１１１は、建物開口部を覆う見込壁１１１ａと、見込壁１１１ａの室内側端部に連続する室内側壁１１１ｂと、見込壁１１１ａの室外側端部に連続し上網戸レールとして利用される室外側壁１１１ｃと、見込壁１１１ａの室内側内周面から下方に延設される室内側上レール１１１ｄと、見込壁１１１ａの室外側内周面から下方に延設される室外側上レール１１１ｅを有している。
【００１２】
上枠本体１１１は、見込壁１１１ａの内周で室内側上レール１１１ｄと室外側上レール１１１ｅの間に樹脂カバー部材１１３が配置されており、見込壁１１１ａと樹脂カバー部材１１３との間に熱により発泡する熱膨張耐火材ｆ１が配置されている。
また、上枠本体１１１は、内、外障子２０，３０の召合部の上方位置に、風止め部材７１を有している。
【００１３】
樹脂上枠１１２は、上枠本体１１１の見込壁１１１ａの内周で、室内側壁１１１ｂと室内側上レール１１１ｄとの間に配置されており、見込壁１１１ａの内周に配置される樹脂見込壁１１２ａと、樹脂見込壁１１２ａの室内側端から下方に延設される室内側壁１１２ｂと、室内側上レール１１１ｄの室内側面を覆う樹脂室外側壁１１２ｃと、室内側壁１１２ｂの下端から室内側に延設されるアングル部１１２ｄを有している。
【００１４】
（下枠）
下枠１２は、アルミ合金等の金属材料からなり、建物開口部の内周に配置される下枠本体１２１と、樹脂材料からなり、下枠本体１２１の室内側内周面に配置される樹脂下枠１２２を有している。
【００１５】
下枠本体１２１は、中空部を有し建物開口部を覆う見込部１２１ａと、見込部１２１ａの室内側端部に連続する室内側壁１２１ｂと、見込部１２１ａの室外側端部に連続する下網戸レール１２１ｃと、見込部１２１ａの室内側内周面から上方に延設される室内側下レール１２１ｄと、見込部１２１ａの室外側内周面から上方に延設される室外側下レール１２１ｅを有している。
【００１６】
見込部１２１ａは、中空部の内部にスチール等の金属材料からなる補強部材が配置されており、補強部材には、熱によって発泡する熱膨張耐火材ｆ，ｆが下枠１２に設けられた排水孔に向かって発泡するように設けられている。
【００１７】
下枠本体１２１は、見込部１２１ａの内周で室内側下レール１２１ｄと室外側下レール１２１ｅの間に樹脂下カバー部材１２３が配置されており、樹脂下カバー部材１２３の下面に熱により発泡する熱膨張耐火材ｆ２が配置されている。
【００１８】
樹脂下枠１２２は、下枠本体１２１の見込部１２１ａの内周で、室内側壁１２１ｂと室内側下レール１２１ｄとの間に配置されており、見込部１２１ａの内周に配置される樹脂見込壁１２２ａと、樹脂見込壁１２２ａの室内側端から上方に延設される室内側壁１２２ｂと、室内側下レール１２１ｄの室内側面を覆う樹脂室外側壁１２２ｃと、室内側壁１２２ｂの上端から室内側に延設されるアングル部１２２ｄを有している。
【００１９】
（左竪枠）
左竪枠１３は、アルミ合金等の金属材料からなり、建物開口部の内周に配置される竪枠本体１３１と、樹脂材料からなり、右竪枠本体１３１の室内側内周面に配置される樹脂左竪枠１３２を有している。
【００２０】
左竪枠本体１３１は、建物開口部を覆う見込壁１３１ａと、見込壁１３１ａの室内側端部に連続する室内側壁１３１ｂと、見込壁１３１ａの室外側端部に連続する室外側壁１３１ｃと、見込壁１３１ａの見込方向でほぼ中央位置の内周面から内周方向に延設される中央壁１３１ｄと、見込壁１３１ａの室外側内周面から内周方向に延設される室外側引寄片１３１ｅを有している。
【００２１】
樹脂左竪枠１３２は、左竪枠本体１３１の見込壁１３１ａの室内側内周部分に配置されており、見込壁１３１ａの内周に配置される樹脂見込壁１３２ａと、樹脂見込壁１３２ａの室内側端から内周方向に延設される室内側壁１３２ｂと、室内側壁１３２ｂの内周端から室内側に延設されるアングル部１３２ｄを有している。
【００２２】
（右竪枠）
右竪枠１４は、アルミ合金等の金属材料からなり、建物開口部の内周に配置される右竪枠本体１４１と、樹脂材料からなり、右竪枠本体１４１の室内側内周面に配置される樹脂右竪枠１４２を有している。
【００２３】
右竪枠本体１４１は、建物開口部を覆う見込壁１４１ａと、見込壁１４１ａの室内側端部に連続する室内側壁１４１ｂと、見込壁１４１ａの室外側端部に連続する室外側壁１４１ｃと、見込壁１４１ａの見込方向でほぼ中央位置の内周面から内周方向に延設される中央壁１４１ｄと、見込壁１４１ａの室内側内周面から内周方向に延設される室内側引寄片１４１ｅを有している。
【００２４】
樹脂右竪枠１４２は、右竪枠本体１４１の見込壁１４１ａの室内側内周部分に配置されており、見込壁１４１ａの内周に配置される樹脂見込壁１４２ａと、樹脂見込壁１４２ａの室内側端から内周方向に延設される室内側壁１４２ｂと、室内側壁１４２ｂの内周端から室内側に延設されるアングル部１４２ｄを有している。
【００２５】
−内障子−
内障子２０は、図１，２に示すように、上框２１と、下框２２と、左竪框（召合框）２３と、右竪框（戸先框）２４を四周に組んで、内周に複層ガラス等のパネル体２５を配置して構成されている。
（上框）
上框２１は、アルミ合金等の金属材料からなり、内周にパネル体２５を保持するパネル間口２１ａを有し、外周に室内側上レール１１１ｄを案内する開口溝部２１ｂを有する断面略Ｈ型部材からなる。
上框２１は、パネル間口２１ａの底壁及び開口溝部２１ｂの底壁に、熱により発泡する熱膨張耐火材ｆ、ｆが配置されている。
【００２６】
開口溝部２１ｂは、室外側を構成する室外側壁の上方室内側に室内側上レール１１１ｄとの間を気密する気密材が配置されている。
パネル間口２１ａは、樹脂材料等からなるグレージングチャンネル２１９を介してパネル体２５を保持している。
【００２７】
（下框）
下框２２は、内周にパネル体２５を保持するパネル間口２２ａを有し、外周に戸車９が配置される開口溝部２２ｂを有する断面略Ｈ型部材からなる。
【００２８】
開口溝部２２ｂは、室外側を構成する室外側壁の下方室内側面に室内側下レール１２１ｄとの間を気密する気密材が配置されており、室内側を構成する室内側壁の下方室外側面に熱膨張耐火材ｆが配置されている。
パネル間口２２ａは、樹脂材料等からなるグレージングチャンネル２２９を介してパネル体２５を保持している。
【００２９】
（戸先框）
戸先框（右竪框）２４は、金属材料からなり矩形中空形状の戸先框本体２４ｃと、戸先框本体２４ｃの内周に連続するパネル体２５を保持するパネル間口２４ａと、戸先框本体２４ｃの外周に連続する溝部２４ｂを有している。
戸先框本体２４ｃの中空部内には、補強部材が配置されておらず、上方端及び下方端には、小口を覆うようにキャップ部材が取り付けられている。
【００３０】
戸先框２４は、溝部２４ｂに引寄せブロック７が配置されており、内障子２０が閉鎖されることで右竪枠１４の室内側引寄片１４１ｅに当接して、内障子２０の戸先框２４は、室内側に引き寄せられる。
溝部２４ｂの室外側を構成する室外側壁の外周室内側に室内側引寄片１４１ｅとの間を気密する気密材が配置されており、溝部２４ｂの底部には熱膨張耐火材ｆが配置されている。
パネル間口２４ａは、樹脂材料等からなるグレージングチャンネル２４９を介してパネル体２５を保持している。
【００３１】
（召合框）
召合框（左竪框）２３は、金属材料からなりパネル体２５の外周側及び室内側を覆う矩形中空形状の召合框本体２３ｃと、召合框本体２３ｃの室外側内周に形成されパネル体２５を保持するパネル間口２３ａを有している。
召合框本体２３ｃの中空部内には、必要に応じて補強部材が配置されており、外周面にクレセント錠６１が取り付けられている。
【００３２】
召合框２３は、召合框本体２３ｃの室外側面がパネル間口２３ａの室外側面よりも室外側に位置しており、召合框本体２３ｃの室外側面が内周方向に延設されてパネル間口２３ａの室外側に煙返し片が形成されている。
パネル間口２３ａは、樹脂材料等からなるグレージングチャンネル２３９を介してパネル体２５を保持している。
【００３３】
−外障子−
外障子３０は、図１，２に示すように、上框３１と、下框３２と、左竪框（召合框）３３と、右竪框（戸先框）３４を四周に組んで、内周に複層ガラス等のパネル体３５を配置して構成されており、内障子２０と同様の構成をしている。
外障子３０については、召合框３４についてのみ説明する。
【００３４】
（召合框）
召合框（左竪框）３４は、金属材料からなり矩形中空形状の召合框本体３４ｃと、召合框本体３４ｃの室外側内周に形成されパネル体３５を保持するパネル間口３４ａを有している。
召合框本体３４ｃの中空部内には、少なくとも中空部の室外側面と対向する面を有する補強部材が配置されており、室外側からの外力や火炎等に対する補強が施されている。
また、召合框本体３４ｃの中空部の室内側面にクレセント受け６２が取り付けられている。
【００３５】
召合框３４は、召合框本体３４ｃの室内側面外周側に内障子２０の召合框２３との間を気密する気密材が配置されているとともに、気密材の内周に煙返し片が形成されている。
パネル間口３４ａは、樹脂材料等からなるグレージングチャンネル３４９を介してパネル体３５を保持している。
【００３６】
以上、本実施形態の引違いサッシの全体の構成について説明したが、さらに、障子３０の下框の構成について、外障子３０の下框３２を用いて説明する。
【００３７】
下框３２は、アルミの押出形材等によって形成されており、図３（ａ）（ｂ）に示すように、室内側壁３２ｃと、室外側壁３２ｄと、室内側壁３２ｃと室外側壁３２ｄとを連絡する底壁３２ｅを有する断面略Ｈ形の長尺部材である。
下框３２は、底壁３２ｅの内周（上）側にパネル体３５を保持するパネル間口３２ａが形成され、外周（下）側に戸車９を収納する開口溝３２ｂが形成されている。
【００３８】
下框３２は、パネル間口３２ａの底を形成する底壁３２ｅの長手方向の両端部近傍に、パネル間口３２ａ内に浸入した水を排出する複数の排出孔３２ｆ，３２ｆが形成されており、底壁３２ｅの上面にタッピングホール３２ｇが形成されている。また、下框３２は、室内側壁３２ｃの室外側面に、熱により発泡する熱膨張耐火材ｆ３が配置されている。
【００３９】
そして、下框３２のパネル間口３２ａには、パネル体３５を支持するガラス敷板５０と、火災時にパネル体３５が下框３２から外れて落下することを防止する外れ止め部材６０が配置されている。
【００４０】
ガラス敷板５０は、合成樹脂材料等からなるピース部材であり、図５（ｂ）に示すように、パネル体３５を支持する支持面５０aと、支持面５０ａの下面に設けられた２条の脚部５０ｂ，５０ｂを有している。
【００４１】
そして、ガラス敷板５０は、図４（ｂ），図５（ａ）に示すように、パネル間口３２ａの底壁３２ｅに形成されたタッピングホール３２ｇを、２条の脚部５０ｂ，５０ｂで跨ぐようにパネル間口３２ａの適宜位置に配置される。
【００４２】
外れ止め部材６０は、図５（ｃ）に示すように、スチール等の金属材料を切断及び曲げ加工して形成される短尺部材であり、パネル載置面６０ａと、パネル載置面６０ａの長さ方向中央部分の両側端を上方に屈曲してなる外れ止め部６０ｂと、パネル載置面６０ａの長さ方向両端部分の両側端を下方に屈曲してなる脚部６０ｃと、パネル載置面６ａの中央部分が下方に突出するように切断曲げ加工してなる載置部６０ｄを有しており、載置部６０ｄの中央には、ネジ孔６０ｅが形成されている。
なお、外れ止め部材６０は、外れ止め部６０ｂのパネル体３０との対向面に、例えば加熱発泡材等の緩衝性のある部材を配置してもよい。
【００４３】
そして、外れ止め部材６０は、図４（ａ）、図５（ａ）に示すように、パネル載置面６０ａの中央部分の載置部６０ｄをパネル間口３２ａの底壁３２ｅに形成されたタッピングホール３２ｇの上面に載置した状態でネジ等の固定手段により下框３２に固定されている。
本実施形態の建具においては、外れ止め部材６０は、下框３２の長手方向両端の近傍位置に取り付けられており、外れ止め部材６０の内側にガラス敷板５０が配置されている。
【００４４】
下框３２に固定された外れ止め部材６０は、図４（ａ）に示すように、脚部６０ｃ，６０ｃがパネル間口３２ａの底壁３２ｅの上面に当接せずに、底壁３２ｅの上面から離間した状態を維持している。
また、図４（ｃ）に示すように、下框３２に配置された外れ止め部材６０のパネル載置面６０ａの上面高さは、ガラス敷板５０の支持面５０ａの上面高さよりも低く設定されている。
【００４５】
以上のように、上記実施形態の防火サッシにおいては、下框の長手方向の両端部のパネル間口内に、パネル載置面が所定高さを有する短尺の外れ止め部材を配置しているので、火災時に框材の樹脂部材が溶融して障子のパネル体が落下してきた場合には、パネル体の両端下面が所定高さを有するパネル載置面に載置されてそれ以上の下がりが阻止されるので、パネル体の上部が上框等から外れることを防止できる。
【００４６】
そして、外れ止め部材は、パネル体の見込み方向への移動を規制する外れ止め部を有しているので、パネル体の下がりを防止すると共に室内外方向への外れも防止することができる。
すなわち、本実施形態の外れ止め部材は、火災時にパネル体の下方への落下を防止する機能を有すると共に、パネル体の見込み方向へのずれによる外れを防止する機能の二つの機能を備えている。
【００４７】
なお、本実施形態の外れ止め部材は、脚部によってパネル載置面がパネル間口の底壁から離間しているので、パネル間口内の水を排水するための排水孔を塞ぐことがない。
また、本実施形態の防火サッシにおいては、外れ止め部材とともに、ガラス敷板が配置され、ガラス敷板のガラス支持面の高さ位置が外れ止め部材のパネル載置面の高さ位置よりも高く設定されているので、普段は、パネル体はガラス敷板によって支持されることで、外れ止め部材にパネル体の荷重がかかることによって外れ止め部材と下框とが接触することによって発生するきしみ音を抑えることができる。
【００４８】
また、外れ止め部材は、脚部６０ｃ，６０ｃがパネル間口３２ａの底壁３２ｅの上面に当接せずに、底壁３２ｅの上面から離間した状態となっているので、通常は、タッピングホールによって一点支持されることで、製造誤差等を吸収しやすく、火災時にパネル体が落下してパネル載置面に載置された場合には、その荷重によって脚部がパネル間口の底壁に当接し、２点もしくは３点によってパネル体の荷重を支持するので、パネル体の安定した支持ができる。
【００４９】
また、外れ止め部材は、下框の長手方向の両端部に配置される短尺部材によって形成されているので、施工性も向上し、経済的にも好ましい。  
【００５０】
以上、本実施形態を引違い窓を用いて説明したが、例えば、上げ下げ窓やＦＩＸ窓など、サッシの構成は、何ら限定されるものではない。
【００５１】
また、本実施形態においては、二つの外れ止め部材６０，６０が、下框３２の両端部の近傍位置に配置され、二つのガラス敷板５０，５０が、外れ止め部材６０，６０よりも中央寄りに配置されているが、ガラス敷板５０の配置位置は、この例に限定されない。
例えば、ガラス敷板５０は、下框３２のパネル間口３２ａの見付方向中央位置に一つ配置されていてもよく、下框３２の長さ等によって配置する個数や位置を適宜設定すれば良い。
【００５２】
また、外れ止め部材６０は、スチール等の金属材料を切断及び曲げ加工して形成される部材に限らない。例えば、アルミ合金を押出成形して形成したものでもよく、その製造方法は何ら限定されない。
【００５３】
以上の実施形態は，請求項に記載された発明を限定するものではなく，例示として取り扱われることは言うまでもない。
【符号の説明】
【００５４】
２２      ：下框
２２ａ    ：パネル間口
５０      ：ガラス敷板
５０a    ：支持面
５０ａ    ：支持面
５０ｂ    ：脚部
６０      ：外れ止め部材
６０ａ    ：パネル載置面
６０ｂ    ：外れ止め部
６０ｃ    ：脚部
６０ｄ    ：載置部
６０ｅ    ：ネジ孔
【図１】
2020176385.tif 000003
【図２】
2020176385.tif 000004
【図３】
2020176385.tif 000005
【図４】
2020176385.tif 000006
【図５】
2020176385.tif 000007